(57)【要約】【課題】棚板を利用して鏡の下辺を支持でき、取付作業性が向上すると共に、鏡と棚板との一体感が創出され、デザイン性に優れた鏡付き収納棚を提供すること。【解決手段】鏡２と、鏡２の上辺を支える鏡受け具と、鏡２の下辺２ｂに沿って設置される棚板４とを備え、棚板４の後端部４ａに壁面１０に固定される固定部６を設けると共に、棚板４の固定部６よりも前方位置で且つ鏡２よりも前方に突出する棚板本体４Ａよりも後方位置に上方に開口した鏡支持溝５を形成し、壁面１０に固定した棚板４の鏡支持溝５により鏡２の下辺２ｂを支持した鏡付き収納棚１である。【選択図】図１
2008264389.tif 000002
【特許請求の範囲】
【請求項１】
鏡と、上記鏡の上辺を支える鏡受け具と、上記鏡の下辺に沿って設置される棚板とを備え、上記棚板の後端部に壁面に固定される固定部を設けると共に、上記棚板の固定部よりも前方位置で且つ鏡よりも前方に突出する棚板本体よりも後方位置に上方に開口した鏡支持溝を形成し、壁面に固定した棚板の鏡支持溝により鏡の下辺を支持してなることを特徴とする鏡付き収納棚。
【請求項２】
上記棚板の側方に、棚板とは別体の上方に開口したＵ字溝を有する補助取付具を配設し、補助取付具のＵ字溝を上記棚板の鏡支持溝と一直線状に連続させた状態で補助取付具の後端部を壁面に固定し、鏡の下辺の一部を棚板の鏡支持溝により支持すると共に、鏡の下辺の残りの部分を補助取付具のＵ字溝により支持してなることを特徴とする請求項１記載の鏡付き収納棚。
補助取付具
【請求項３】
上記鏡の下辺と棚板の鏡支持溝との間に緩衝材を介在させると共に、棚板は金属製の棚板本体とこれを覆うカバー部とからなり、該カバー部にて緩衝材及び鏡の下辺と鏡支持溝との隙間をそれぞれ覆い隠すようにしたことを特徴とする請求項1又は請求項２記載の鏡付き収納棚。
【発明の詳細な説明】
【技術分野】
【０００１】
本発明は、鏡の下辺に沿って棚板が設置される鏡付き収納棚に関するものである。
【背景技術】
【０００２】
浴室や洗面室等に、鏡と棚板を設けることはよく行われており、特許文献１にみられるものでは、鏡と棚板とが上下方向にある程度の間隔を置いて、壁面に取り付けてある。
【０００３】
ところが上記特許文献１に見られる従来例では、鏡と棚板とをそれぞれ別個に取り付けているため、個々に水平位置を調整して取付けなければならないので、その取付け作業に時間を要していた。しかも、鏡の下辺を棚板に接するようにして取り付ける場合にあっては、鏡を取り付ける取付金具が邪魔になったり、棚板の前方から取付金具が見えるためにデザイン性を損なうという問題があった。
【０００４】
そこで、最近は、鏡を取り付ける鏡取付部と棚板とが一体型で成型された機能パネルが知られているが、樹脂成型のため高級感が出しづらく、全体的に安っぽいイメージがあり、デザイン性向上が図りづらいという問題がある。
【特許文献１】特開２０００−４１８１１号公報
【発明の開示】
【発明が解決しようとする課題】
【０００５】
本発明は上記の従来の問題点に鑑みて発明したものであって、棚板を利用して鏡の下辺を支持でき、取付作業性が向上すると共に、鏡と棚板との一体感が創出され、デザイン性に優れた鏡付き収納棚を提供することを課題とするものである。
【課題を解決するための手段】
【０００６】
前記課題を解決するために本発明は、鏡２と、上記鏡２の上辺２ａを支える鏡受け具３と、上記鏡２の下辺２ｂに沿って設置される棚板４とを備え、上記棚板４の後端部４ａに壁面１０に固定される固定部６を設けると共に、上記棚板４の固定部６よりも前方位置で且つ鏡２よりも前方に突出する棚板本体４Ａよりも後方位置に上方に開口した鏡支持溝５を形成し、壁面１０に固定した棚板４の鏡支持溝５により鏡２の下辺２ｂを支持してなることを特徴としている。
【０００７】
このような構成とすることで、鏡２よりも前方に突出する棚板本体４Ａによって収納棚としての本来機能に加えて、棚板本体４Ａよりも後方位置に設けた鏡支持溝５を利用して鏡２の下辺２ｂを支持する機能が得られるので、鏡２の下辺２ｂを支持するための専用の取付金具が不要となり、しかも棚板４の固定部６を壁面１０に取り付けるだけでよく、さらに棚板４の水平位置を調整するだけでよく、従来のように鏡と棚板の各々の水平位置を調整して取付ける必要がないものであり、取付作業が容易となる。そのうえ、鏡２の下辺２ｂを棚板４上面に接するようにして鏡２と棚板４とを一体に取り付けることができるので、鏡２と棚板４との一体感が創出されて高級感が得られるようになる。
【０００８】
また、上記棚板４の側方に、棚板４とは別体の上方に開口したＵ字溝７ａを有する補助取付具７を配設し、補助取付具７のＵ字溝７ａを上記棚板４の鏡支持溝５と一直線状に連続させた状態で補助取付具７の後端部７ｂを壁面１０に固定し、鏡２の下辺２ｂの一部を棚板４の鏡支持溝５により支持すると共に、鏡２の下辺２ｂの残りの部分を補助取付具７のＵ字溝７ａにより支持してなるのが好ましく、この場合、棚板４とは別体の補助取付具７を用いて鏡２の下辺２ｂを支持できるので、縦型から横型への鏡２の施工仕様の変更が可能となり、しかも、鏡２と棚板４と補助取付具７との組み合わせで縦型と同じデザインを横型にも使用できるようになる。
【０００９】
また、上記鏡２の下辺２ｂと棚板４の鏡支持溝５との間に緩衝材８を介在させると共に、棚板４は金属製の棚板本体４Ａとこれを覆うカバー部４Ｂとからなり、該カバー部４Ｂにて緩衝材８及び鏡２の下辺２ｂと鏡支持溝５との隙間をそれぞれ覆い隠すようにするのが好ましく、この場合、棚板本体４Ａを金属製にすることで鏡２の荷重を十分に支えることができると共に、緩衝材８によって鏡２の下辺２ｂが金属製の棚板本体４Ａと接触して破損しないようにできて、棚板４を使用する際の使用の安全性が向上する。さらに金属製の棚板本体４Ａを覆うカバー部４Ｂは、緩衝材８、及び鏡２の下辺２ｂと鏡支持溝５との隙間をそれぞれ覆い隠すので、デザイン性もより一層向上する。
【発明の効果】
【００１０】
本発明は、鏡よりも前方に突出する棚板本体によって収納棚としての本来機能に加えて、棚板本体よりも後方位置に設けた鏡支持溝を利用して鏡の下辺を支持する機能が得られることにより、鏡の下辺を支持するための専用の取付金具が不要となり、取付作業性が向上すると共に、鏡と棚板との一体感が創出される結果、高級感及びデザイン性に優れた鏡付き収納棚を提供できるものである。
【発明を実施するための最良の形態】
【００１１】
以下、本発明を添付図面に示す実施形態に基いて説明する。
【００１２】
図２は縦型の鏡付き収納棚１の一実施形態を示している。本実施形態の鏡付き収納棚１は、鏡２と、上記鏡２の上辺２ａを支える鏡受け具３と、上記鏡２の下辺２ｂに沿って設置される棚板４とで主体が構成されている。
【００１３】
上記棚板４は、図１に示すように、金属製の棚板本体４Ａと、該棚板本体４Ａの上面を覆うカバー部４Ｂとで構成されている。棚板４の横幅は、鏡２の短辺と略同じ寸法とされている。
【００１４】
金属製の棚板本体４Ａの後端部４ａからは、上方に屈曲した固定部６が突設されており、この固定部６をネジ１１にて壁面１０に固定することで、棚板本体４Ａが壁面１０に対して固定されている。
【００１５】
上記棚板本体４Ａの固定部６よりも前方位置には、上方に開口した鏡支持溝５が形成されている。この鏡支持溝５は棚板本体４Ａの幅方向（図１の紙面に対して垂直方向）の全長に亘って形成されており、この鏡支持溝５に上方から鏡２の下辺２ｂが差し込まれて支持されるようになっている。ここでは、棚板本体４Ａの固定部６のネジ１１を隠すようにして鏡２の下辺２ｂが鏡支持溝５に差し込まれている。
【００１６】
上記鏡２の下辺２ｂと鏡支持溝５との間には、緩衝材８が介在されている。本例では、鏡支持溝５の底面は凹凸形状となっており、凸部９の上に緩衝材８が貼着されている。緩衝材８は、鏡２の下辺２ｂの下面に配置される下緩衝材８ａと、鏡２の下辺２ｂの前面に配置される前緩衝材８ｂとからなる。これら緩衝材８（８ａ，８ｂ）は、鏡２の下辺２ｂが金属製の棚板本体４Ａと接触して破損しないようにする役目と、鏡支持溝５内に水が溜まりにくくする役目とを果たす。なお緩衝材８は、鏡支持溝５の長さ方向全長に亘って設けられてもよいが、長さ方向の一部に部分的に設けられてもよい。また、鏡支持溝５の底部には棚板本体４Ａを上下に貫通する水抜き穴１２（図４）を設けることも可能であり、この場合、鏡２の表面にできる水滴が鏡支持溝５に流れ落ちても水抜きできるようになり、緩衝材８が水で濡れて緩衝機能が失われたりするのを防止できるようになる。なお、水抜き穴１２は省略可能である。
【００１７】
また、上記棚板本体４Ａの鏡支持溝５よりも前方位置には、所定深さを有する断面Ｕ字状の切込み１３が凹設されている。この切込み１３は棚板本体４Ａの脆弱部分となり、棚板４が万一破壊するような場合は、この切込み１３の部位から破壊されるようになるので、鏡支持溝５による鏡２の支持機能が損なわれず、安全性を配慮したものである。
【００１８】
さらに、棚板本体４Ａの上記切込み１３よりもさらに前方部分は、上板部１４と下板部１５との間に中空部１６が形成された二層板構造をしている。本例では、上板部１４の後端部と下板部１５とがリブ形状の連結部１７にて連結されており、上板部１４の下面の複数個所には上方に開口した断面逆Ω状の係止溝１８が突設され、この係止溝１８の脚片１８ａが下板部１５に連結されている。さらに下板部１５の外周縁にはカバー部４Ｂの外周部を支持する断面逆コ字形のカバー受け部１９が突設されている。
【００１９】
一方、カバー部４Ｂは合成樹脂製とされ、棚板本体４Ａの上記切込み１３よりも前方部分を上方からカバーしている。ここで、カバー部４Ｂを棚板本体４Ａに固定する手段として、カバー部４Ｂの下面には図５、図６に示すように、先端が爪形状をした突起部２０が複数突設され、各突起部２０が前記棚板本体４Ａの係止溝１８に個別に引っ掛け係止され、さらにカバー部４Ｂの左右の内側面には、図５、図７に示すように、断面逆三角形状をしたフック部２１が内方に向けて複数突設され、各フック部２１が前記棚板本体４Ａの中空部１６にそれぞれ挿入されて上板部１４の側端縁１４ａに引っ掛け係止され、これによりカバー部４Ｂが棚板本体４Ａから外れないように固定されるようになっている。さらに、カバー部４Ｂと棚板本体４Ａとの当接部分には音鳴りガタツキ防止のためにクッション材２３が挟み込まれてシーリングなどで接着されている。さらに、カバー部４Ｂの後端部は、図４に示すように、棚板本体４Ａに設けた切込み１３の後側壁１３ａと前側壁１３ｂとに跨って載置されており、これにより、切込み１３、緩衝材８、及び鏡２の下辺２ｂと鏡支持溝５との隙間がそれぞれカバー部４Ｂにて覆い隠されている。さらにカバー部４Ｂの前端部は、棚板本体４Ａに設けたカバー受け部１９にて支持されると共に、カバー部４Ｂの前端垂下部２２によって棚板本体４Ａの前端縁を覆い隠すようにしている。
【００２０】
一方、鏡２の上辺２ａは、壁面１０に固定される複数の鏡受け具３により支持される。鏡受け具３は下方に開口した鏡差込溝を有しており、下方から鏡２の上辺２ａが差し込まれて支持されるようになっている。なお鏡受け具３は鏡２の上辺２ａに沿って配置される化粧カバー２５にて覆われる。図２の例では、化粧カバー２５は後述する縦モール２６の上端部と同じ高さに配置されると共に縦モール２６と同じ外観を有している。
【００２１】
また、図２の縦型の鏡付き収納棚１においては、棚板４の下方にカラン取付部として機能する幕板２８が配設されている。幕板２８にはカラン用の２つの開口部２９が設けられている。図８に示すように、開口部２９を介してカラン３０と配管部３１とが連結される。なお、開口部２９とカラン３０との隙間には化粧リング（図示せず）が嵌め込まれることでカラン３０が開口部２９において固定されるようになっている。なお幕板２８は例えば、両面テープとシーリングにより壁面１０に対して固着されている。
【００２２】
鏡２の左右両サイドには、それぞれ、鏡２の側端面を覆うようにして一対の縦モール２６が配置されており、幕板２８の下端部に沿って縦モール２６と同形状の下モール２７が配置されている。縦モール２６は、鏡２の上端部から幕板２８の下端部まで途切れることなく連続して延びている。各モール２６，２７は、それぞれ、壁面１０に対してネジで固定される。なお図２中の３２はモールの小口を塞ぐ小口キャップである。
【００２３】
しかして、上記構成の縦型の鏡付き収納棚１においては、上記構成の棚板４は収納棚としての本来機能に加えて、鏡２の下辺２ｂを支持する機能も併せ持っている。つまり、棚板４の鏡支持溝５にて鏡２の下辺２ｂを支持したことにより、鏡２の下辺２ｂを支持するための取付金具が不要となり、さらに取り付けの際には、棚板４の水平位置を調整するだけで鏡２の水平位置が決まるので、従来のように鏡の水平位置を調整して取付ける必要がなくなり、そのうえ棚板４を壁面１０に取り付けるだけでよいので、取付作業が一層容易になる利点がある。
【００２４】
また、上記鏡２の下辺２ｂを棚板４に接するようにして鏡２と棚板４とを一体に取り付けることができるので、鏡２と棚板４との一体感が創出されると共に、鏡２の下辺２ｂを支持するための取付金具が不要となるため、棚板４の前方から取付金具が見えて外観を損なうという問題もなくなる。また縦モール２６は、鏡２の上辺２ａからカラン３０が取り付けられる幕板２８の下端まで途切れることなく連続して延びており、この縦モール２６と同形状の下モール２７と、縦モール２６と同形状の化粧カバー２５との組み合わせによって、鏡２と棚板４と幕板２８との一体感をさらに創出することができる。また本例では棚板本体４Ａの固定部６のネジ１１を隠すようにして鏡２の下辺２ｂが鏡支持溝５に差し込まれるようになり、さらにカバー部４Ｂは、切込み１３、緩衝材８、及び鏡２の下辺２ｂと鏡支持溝５との隙間をそれぞれ覆い隠すので、結果、デザイン性の向上が図られると共に、高級感が得られやすくなる利点がある。
【００２５】
さらに、棚板本体４Ａを金属製にすることで、棚板４の強度が高まり、鏡２の荷重を十分に支えることができるものであり、一方、カバー部４Ｂを樹脂製にすることで、棚板４を使用する際の安全性、使用性、外観性が共に良くなるものであり、また、棚板本体４Ａの鏡支持溝５よりも前方位置に、Ｕ字状乃至Ｖ字状の切込み１３を設けてあるので、棚板本体４Ａが万一破壊する場合でも、切込み１３を設けた部位から破壊するようになり、従って、鏡支持溝５による鏡２の支持機能が保障されるので、棚板４の破壊時にも鏡２が落下する虞がなく、安全性を確保できる利点もある。
【００２６】
図３は他の実施形態であり、横型の鏡付き収納棚１Ａの一例を示している。なお鏡２、棚板４、鏡受け具３の基本構造は図１、図２の実施形態と同様であり、異なる点だけを説明する。本例の横型の鏡付き収納棚１Ａは、鏡２を横型とし、鏡２の上辺２ａを支持する鏡受け具３を鏡２の長辺と同じ長さとし、左右の縦モール２６の縦寸法を鏡２の短辺と略同じ寸法とすると共に、棚板４とは別体の補助取付具７を具備している。この補助取付具７は棚板４の側方に配置されている。棚板４は図１、図２と同形状のものが用いられ、補助取付具７は、横型の鏡２の下辺２ｂの一端から棚板４の一端に亘って横長に形成されている。なお、補助取付具７を短くして横方向に間隔をあけて複数配設する構造も可能である。この補助取付具７は上方に開口したＵ字溝７ａを有するＪ型形状をしており、Ｕ字溝７ａを上記棚板４の鏡支持溝５と一直線状に連続させた状態で、補助取付具７の後端部７ｂが壁面１０に固定されるようになっている。そして、鏡２の下辺２ｂの一部を、棚板４の鏡支持溝５により支持すると共に、鏡２の下辺２ｂの残りの部分を、補助取付具７のＵ字溝７ａにより支持するものである。
【００２７】
しかして、棚板４とは別体の補助取付具７を用いて鏡２の下辺２ｂを支持できるので、図１、図２の実施形態と同様な作用効果が得られると共に、そのうえ本例では縦型から横型への鏡付き収納棚１の施工変更が可能となり、鏡２と棚板４と補助取付具７との組み合わせで縦型と同じデザインを横型にも使用できるようになる。しかも補助取付具７は棚板４と横方向に連続して隣接配置されているので、補助取付具７と棚板４との一体感も得られ、デザイン性の一層の向上を図ることができるものである。
【００２８】
なお前記実施形態では、収納棚として、一枚物の棚板４を例示したが、勿論これに限らず、上下複数枚の棚板４を備えた収納棚を鏡２の下方に配置し且つその最上段の棚板４を図１に示す構造とすることも可能である。
【図面の簡単な説明】
【００２９】
【図１】本発明の一実施形態の棚板による鏡の下辺の支持構造を説明する側面断面図である。
【図２】同上の鏡付き収納棚を縦型仕様とした場合の分解斜視図である。
【図３】同上の鏡付き収納棚を横型仕様とした場合の分解斜視図である。
【図４】図１のＡ部の拡大断面図である。
【図５】同上のカバー部を下面から見た斜視図である。
【図６】図１のＢ部の拡大断面図である。
【図７】同上のカバー部のフック部を棚板本体に引っ掛け係止した部分の拡大断面図である。
【図８】同上のカランを取り付けた幕板の配置例を示す断面図である。
【符号の説明】
【００３０】
１  鏡付き収納棚
２  鏡
２ａ  上辺
２ｂ  下辺
３  鏡受け具
４  棚板
４ａ  後端部
４Ａ  棚板本体
４Ｂ  カバー部
５  鏡支持溝
６  固定部
７  補助取付具
７ａ  Ｕ字溝
７ｂ  後端部
８  緩衝材
１０  壁面
【図１】
2008264389.tif 000003
【図２】
2008264389.tif 000004
【図３】
2008264389.tif 000005
【図４】
2008264389.tif 000006
【図５】
2008264389.tif 000007
【図６】
2008264389.tif 000008
【図７】
2008264389.tif 000009
【図８】
2008264389.tif 000010